(57)【特許請求の範囲】
【請求項１】
容器体（１００）の口頸部（１０１）外周に嵌合させる装着キャップ（Ａ）に上端部を固定して容器体（１００）内に垂下するとともに、大径の空気用シリンダ（２０）及び小径の液用シリンダ（２１）を上下に同心円状に連設してなるシリンダ部材（Ｂ）と、液用シリンダ（２１）内を摺動する液用ピストン（Ｃ１）をステム（Ｃ２）下部よりも突出させるとともに、空気用シリンダ（２０）内を摺動する空気用ピストン（Ｃ３）をステム（Ｃ２）外周上部に連携させ、ステム（Ｃ２）上端に吐出ヘッド（Ｃ５）を嵌着して上方付勢状態で上下動可能に装着した作動部材（Ｃ）とを備え、作動部材（Ｃ）の上下動により液用シリンダ（２１）内の液と空気用シリンダ（２０）内の空気を合流させて起泡部材（７６）を介して起泡させ、吐出ヘッド（Ｃ５）の吐出口より吐出する如く構成した泡吐出器であって、ステム（Ｃ２）の上端部に基端部を嵌着してステム（Ｃ２）内と連通する螺筒（６２）を起立した連結部材（Ｃ４）を設け、内部を吐出口と連通する縦筒（７０）を螺筒（６２）内に気密・液密に螺着させて着脱可能に吐出ヘッド（Ｃ５）を装着し、縦筒（７０）内下端部に起泡部材（７６）を嵌着固定したことを特徴とする泡吐出器。
【請求項２】
作動部材（Ｃ）が、下端部内周に環状凹部（５８）を凹設した嵌着筒（５５）をステム（Ｃ２）外周上端部に嵌着し、嵌着筒（５５）の上端より内方に延設したフランジ（５６）を介してステム（Ｃ２）内周上端部に嵌合する内筒（５７）を垂設し、フランジ（５６）上に螺筒（６２）を起立した連結部材（Ｃ４）と、下端をステム（Ｃ２）外周に突設した空気吐出弁用の弁座（３９）とで空気吐出弁（４９）を構成し、上端を環状凹部（５８）内周面に摺動可能に嵌合させてステム（Ｃ２）外周に上下動可能に嵌合させた筒状弁部（４５）を備え、筒状弁部（４５）の外面より突設した隔壁（４６）を介して空気用シリンダ（２０）に摺動する摺動部（４７）を備えた空気用ピストン（Ｃ３）と、螺筒（６２）内に気密・液密に螺合させた縦筒（７０）の上部に基端を開口してノズル(７４)を延設した吐出ヘッド（Ｃ５）とを備え、起泡部材（７６）として吐出ヘッド（Ｃ５）の縦筒（７０）内下端部に嵌着した筒体（７６ｂ）の端面にメッシュ（７６ａ）を張設した請求項１に記載の泡吐出器。
【請求項３】
装着キャップ（Ａ）の頂壁（１１）上に可撓性のガイド筒（１２）を起立するとともに、ガイド筒（１２）内面と連結部材（Ｃ４）の外面下部とに、ガイド筒（１２）を内方へ押し潰した際に互いに係合する係合手段を設けた請求項１又は請求項２に記載の泡吐出器。
【請求項４】
ガイド筒（１２）外周に着脱可能に嵌合させた嵌合部（８５）を備えるスペーサー(Ｅ)を設け、連結部材（Ｃ４）の螺筒（６２）上端より外方へ延設したフランジ部（６３）を介して、嵌合部（８５）の上面に下面を当接する外筒部（６４）を垂設した請求項３に記載の泡吐出器。
【請求項５】
ガイド筒（１２）外周に着脱可能に嵌合させた嵌合部（８５）を備えるスペーサー(Ｅ)を設け、嵌合部（８５）の上面に下面を当接する内側の垂壁部（７３）を吐出ヘッド（Ｃ５）の頂板（７１）裏面より垂設した請求項３に記載の泡吐出器。
【発明の詳細な説明】
【技術分野】
【０００１】
本発明は泡吐出器に関し、詳しくは起泡構造を構成するメッシュ等の起泡部材の洗浄を簡単に行なうことができる泡吐出器に関する。
【背景技術】
【０００２】
泡吐出器として、大径の空気用シリンダと小径の液用シリンダを上下に同心円状に連設したシリンダ部材と、液用シリンダ内を摺動する液用ピストンをステム外周下部より突設するとともに、空気用シリンダ内を摺動する空気用ピストンをステム外周上部に連繋させ、ステム上端に吐出ヘッドを嵌着して上方付勢状態で上下動可能に装着した作動部材とを備え、作動部材の上下動により液用シリンダ内の液と空気用シリンダ内の空気を合流させて起泡部材を介して起泡させ、吐出ヘッドの吐出口より吐出する如く構成したものが知られている。（例えば、特許文献１参照）
【０００３】
特許文献１に記載されている泡吐出器では、ステムの外周上端部に吐出ヘッドの縦筒を嵌着し、この縦筒内のステム直上部からステム内上端部にわたり嵌着させた筒部材内に起泡部材を嵌着している。起泡部材はメッシュを一端面に張設した筒体を一対筒部材内に嵌着することで構成している。
【先行技術文献】
【特許文献】
【０００４】
【特許文献１】特開２００９−２０２１２２号公報
【発明の概要】
【発明が解決しようとする課題】
【０００５】
従来のこの種の泡吐出器では、吐出ヘッドが簡単に離脱しないように、嵌合強度を大きくしてステムに対して吐出ヘッドの強固な嵌合を行なっている。その結果起泡部材を構成するメッシュの洗浄が事実上できないように構成されている。メッシュを通過する起泡性の液体或いはメッシュで起泡された泡は一般に乾燥固化しやすく長期の使用でメッシュに目詰まりを生じる虞もある。
【０００６】
本発明は上記した点に鑑みてなされたもので、メッシュ等で構成される起泡部材の洗浄が可能で、その操作も容易に行なうことができる泡吐出器を提案する。
【課題を解決するための手段】
【０００７】
第１の手段として、以下の通り構成した。即ち、容器体１００の口頸部１０１外周に嵌合させる装着キャップＡに上端部を固定して容器体１００内に垂下するとともに、大径の空気用シリンダ２０及び小径の液用シリンダ２１を上下に同心円状に連設してなるシリンダ部材Ｂと、液用シリンダ２１内を摺動する液用ピストンＣ１をステムＣ２下部よりも突出させるとともに、空気用シリンダ２０内を摺動する空気用ピストンＣ３をステムＣ２外周上部に連携させ、ステムＣ２上端に吐出ヘッドＣ５を嵌着して上方付勢状態で上下動可能に装着した作動部材Ｃとを備え、作動部材Ｃの上下動により液用シリンダ２１内の液と空気用シリンダ２０内の空気を合流させて起泡部材７６を介して起泡させ、吐出ヘッドＣ５の吐出口より吐出する如く構成した泡吐出器であって、ステムＣ２の上端部に基端部を嵌着してステムＣ２内と連通する螺筒６２を起立した連結部材Ｃ４を設け、内部を吐出口と連通する縦筒７０を螺筒６２内に気密・液密に螺着させて着脱可能に吐出ヘッドＣ５を装着し、縦筒７０内下端部に起泡部材７６を嵌着固定した。
【０００８】
第２の手段として、以下の通り構成した。即ち、前記第１の手段に於いて、作動部材Ｃが、下端部内周に環状凹部５８を凹設した嵌着筒５５をステムＣ２外周上端部に嵌着し、嵌着筒５５の上端より内方に延設したフランジ５６を介してステムＣ２内周上端部に嵌合する内筒５７を垂設し、フランジ５６上に螺筒６２を起立した連結部材Ｃ４と、下端をステムＣ２外周に突設した空気吐出弁用の弁座３９とで空気吐出弁４９を構成し、上端を環状凹部５８内周面に摺動可能に嵌合させてステムＣ２外周に上下動可能に嵌合させた筒状弁部４５を備え、筒状弁部４５の外面より突設した隔壁４６を介して空気用シリンダ２０に摺動する摺動部４７を備えた空気用ピストンＣ３と、螺筒６２内に気密・液密に螺合させた縦筒７０の上部に基端を開口してノズル７４を延設した吐出ヘッドＣ５とを備え、起泡部材７６として吐出ヘッドＣ５の縦筒７０内下端部に嵌着した筒体７６ｂの端面にメッシュ７６ａを張設した。
【０００９】
第３の手段として、以下の通り構成した。即ち、前記第１の手段又は第２の手段のいずれかの手段に於いて、装着キャップＡの頂壁１１上に可撓性のガイド筒１２を起立するとともに、ガイド筒１２内面と連結部材Ｃ４の外面下部とに、ガイド筒１２を内方へ押し潰した際に互いに係合する係合手段を設けた。
【００１０】
第４の手段として、以下の通り構成した。即ち、前記第３の手段に於いて、ガイド筒１２外周に着脱可能に嵌合させた嵌合部８５を備えるスペーサーＥを設け、連結部材Ｃ４の螺筒６２上端より外方へ延設したフランジ部６３を介して、嵌合部８５の上面に下面を当接する外筒部６４を垂設した。
【００１１】
第５の手段とて、以下の通り構成した。即ち、前記第３の手段に於いて、ガイド筒１２外周に着脱可能に嵌合させた嵌合部８５を備えるスペーサーＥを設け、嵌合部８５の上面に下面を当接する内側の垂壁部７３を吐出ヘッドＣ５の頂板（７１）裏面より垂設した。
【発明の効果】
【００１２】
本発明によれば、ステムＣ２の上端部に基端部を嵌着してステムＣ２内と連通する螺筒６２を起立した連結部材Ｃ４を設け、内部を吐出口と連通する縦筒７０を螺筒６２内に気密・液密に螺着させて着脱可能に吐出ヘッドＣ５を装着し、縦筒７０内下端部に起泡部材７６を嵌着固定したので、必要に応じて吐出ヘッドＣ５を連結部材Ｃ４から螺脱することで起泡部材７６の洗浄を容易に行うことができる。しかも、洗浄に当たっては単に吐出ヘッドＣ５を螺脱するという簡単な操作で行うことができ、また、洗浄後は螺着するだけでもとの状態に戻すことができる。更に、従来品と比較しても部材数を増加することなく製造できる利点がある。
【００１３】
作動部材Ｃが、下端部内周に環状凹部５８を凹設した嵌着筒５５をステムＣ２外周上端部に嵌着し、嵌着筒５５の上端より内方に延設したフランジ５６を介してステムＣ２内周上端部に嵌合する内筒５７を垂設し、フランジ５６上に螺筒６２を起立した連結部材Ｃ４と、下端をステムＣ２外周に突設した空気吐出弁用の弁座３９とで空気吐出弁４９を構成し、上端を環状凹部５８内周面に摺動可能に嵌合させてステムＣ２外周に上下動可能に嵌合させた筒状弁部４５を備え、筒状弁部４５の外面より突設した隔壁４６を介して空気用シリンダ２０に摺動する摺動部４７を備えた空気用ピストンＣ３と、螺筒６２内に気密・液密に螺合させた縦筒７０の上部に基端を開口してノズル７４を延設した吐出ヘッドＣ５とを備え、起泡部材７６として吐出ヘッドＣ５の縦筒７０内下端部に嵌着した筒体７６ｂの端面にメッシュ７６ａを張設した場合には、相互の組み付け操作を容易に行えるという特徴を備え、各部材をコンパクトに効率良く組み付けることができる利点がある。
【００１４】
装着キャップＡの頂壁１１上に可撓性のガイド筒１２を起立するとともに、ガイド筒１２内面と連結部材Ｃ４の外面下部とに、ガイド筒１２を内方へ押し潰した際に互いに係合する係合手段を設けた場合には、吐出ヘッドＣ５の螺脱或いは螺着を容易に行えるという特徴がある。この種の泡吐出器では、作動部材Ｃは装着キャップＡやシリンダ部材Ｂに対して回動可能に装着されているのが一般的であるが、本発明では、吐出ヘッドＣ５の螺脱或いは螺着の際に作動部材Ｃと装着キャップＡとを一体に抑えておくことができ、容易な螺着、螺脱が可能となる。
【００１５】
ガイド筒１２外周に着脱可能に嵌合させた嵌合部８５を備えるスペーサーＥを設け、連結部材Ｃ４の螺筒６２上端より外方へ延設したフランジ部６３を介して、嵌合部８５の上面に下面を当接する外筒部６４を垂設した場合には、ガイド筒１２の存在で不使用時の作動部材Ｃの誤った押し下げを確実に防止できる。
【００１６】
ガイド筒１２外周に着脱可能に嵌合させた嵌合部８５を備えるスペーサーＥを設け、嵌合部８５の上面に下面を当接する内側の垂壁部７３を吐出ヘッドＣ５の頂板７１裏面より垂設した場合には、同様にガイド筒１２の存在で不使用時の作動部材Ｃの誤った押し下げを確実に防止できる。
【図面の簡単な説明】
【００１７】
【図１】泡吐出器の縦断面図である。（第１実施例）
【図２】泡吐出器の吐出ヘッドを外した状態の縦断面図である。（第１実施例）
【図３】係合手段を説明する説明図である。（第１実施例）
【図４】泡吐出器の縦断面図である。（第２実施例）
【図５】泡吐出器の吐出ヘッドを外した状態の縦断面図である。（第２実施例）
【発明を実施するための形態】
【００１８】
以下、本発明の形態を図面を参照して説明する。
【００１９】
図１乃至図３は本発明の泡吐出器の第１実施例を示す。泡吐出器１は、装着キャップＡと、シリンダ部材Ｂと、作動部材Ｃと、ポペット弁体Ｄと、スペーサーＥとを備えている。
【００２０】
装着キャップＡは、泡吐出器１を容器体１００に固定するためのもので、容器体１００の口頸部１０１外周に嵌合させる周壁１０の上端縁より、中央に作動部材Ｃを貫通させる窓孔を開口した頂壁１１を延設し、窓孔周縁より上方へガイド筒１２を立設している。このガイド筒１２は可撓性で、外方からの押圧で内方へ弾性変形可能に形成されており、内面上端部には係合手段を構成するための係合凹部１３を周方向多数凹設している。本例に於ける係合凹部１３はガイド筒１２の内周上端部に周方向等間隔に多数突設した縦突条形態の突部１４間にそれぞれ形成している。
【００２１】
シリンダ部材Ｂは、大径の空気用シリンダ２０の下部に、小径の液用シリンダ２１を同心円状に延設している。液用シリンダ２１は、空気用シリンダ２０の底壁部内周縁に周壁部の上端縁を連結して下方へ垂設し、周壁部の下端縁より中央を開口したテーパ状の底壁部を延設し、底壁部の上面を吸込み弁用の弁座２２として構成している。また、底壁部の中央開口縁よりパイプ嵌合筒２３を一体に垂設し、パイプ嵌合筒２３に吸い上げ用のパイプ２４の上端を嵌着しその下端を容器体１００内下端部に垂下させている。更に、液用シリンダ２１内面の底壁部外縁部から周壁部下端部に至る部分に、周方向複数の係止リブ２５を突設している。各係止リブ２５の上下中間部には上向き段部を設けている。
【００２２】
作動部材Ｃは、シリンダ部材Ｂに対して上方付勢状態で上下動可能に組み付けしたもので、液用ピストンＣ１と、ステムＣ２と、空気用ピストンＣ３と、連結部材Ｃ４と、吐出ヘッドＣ５とを備えている。
【００２３】
液用ピストンＣ１は、ステムＣ２内下部に嵌着した嵌合筒部３０の下端外周より外方へ上下スカート状の摺動部３１を突設し、摺動部３１を液用シリンダ２１内周に液密摺動可能に嵌合させている。また、嵌合筒部３０の上端部はステムＣ２内の上下方向中間部に於いて突条形態の逆止弁用の弁座３２を形成している。そして、液用ピストンＣ１の嵌合筒部３０下面と各係止リブ２５の上向き段部との間にコイルスプリングｓを介在させて作動部材Ｃを常時上方へ付勢させている。
【００２４】
ステムＣ２は、上下端を開口した筒状をなし、その下部より液用シリンダ側へ、当該液用シリンダ２１に摺動する液用ピストンＣ１を突出させるとともに、空気用シリンダ２０内を摺動する空気用ピストンＣ３を外周上部に連携させて、液用シリンダ２１内及び空気用シリンダ２０内を上下動可能に装着されている。ステムＣ２内上部には吐出弁用の弁座３５を形成し、玉状弁体３６とで吐出弁３７を形成しており、また、吐出弁用の弁座３５の下面から逆止弁用の弁座３２の直上までの間に周方向複数の縦突条３８を突設している。更に、外面上下方向中間部にはフランジ状に突設した空気吐出弁用の弁座３９を突設しており、その上方の筒壁外周には周方向複数の縦突条４０を突設している。
【００２５】
空気用ピストンＣ３は、内周縁の筒状弁部４５をステムＣ２外周に小幅の上下動が可能に嵌合させ、筒状弁部４５外周より延設した階段状の隔壁４６を介して、空気用シリンダ２０内周に液密摺動可能に嵌合した上下スカート状の摺動部４７を延設している。筒状弁部４５はステムＣ２外周の縦突条４０外面に上下動可能に嵌合させている。また，空気用シリンダ２０の階段状の隔壁４６には外気を導入するための外気導入弁４８を設けている。外気導入弁４８は、下降した作動部材Ｃが上昇する際に空気用シリンダ２０内が負圧となることで開弁し、外気を導入する。
【００２６】
また、後述する如く、ステムＣ２の外周上端部には内周下端部に環状凹部５８を凹設した連結部材Ｃ４の嵌着筒５５を嵌合しており、筒状弁部４５はその環状凹部の頂面と、空気吐出弁用の弁座３９との間を上下動可能に装着しており、筒状弁部４５の下端部と空気吐出弁用の弁座３９とで空気吐出弁４９を構成している。そして、ステムＣ２と筒状弁部４５との間に、空気吐出弁４９から環状凹部５８内に連通し、空気用シリンダ２０内からステムＣ２内へ連通する空気供給路ｐを構成する通気路を備えている。この空気吐出弁４９は、図１に示す作動部材Ｃが最上方へ押し上げられている場合には閉塞しており、作動部材Ｃを押し下げた際には開弁し、更に押し下げ状態から上方付勢力により上昇する際には閉塞する如く構成している。
【００２７】
連結部材Ｃ４は、ステムＣ２の外周上端部に嵌着させた嵌着筒５５の上端より内方へフランジ５６を延設し、フランジ５６の内周縁よりステムＣ２の内周上端部に嵌着させた内筒５７を垂設し、その下方の吐出弁３７下流位置に気液混合室Ｒを画成している。嵌着筒５５の下端内周には環状凹部５８を凹設しており、環状凹部５８の内周面に空気用ピストンＣ３の筒状弁部４５上端縁を気密・液密に摺動させている。嵌着筒５５の外周には係合手段を構成する係合凸部５９が等間隔に４カ所突設されている。また、内筒５７の下面からは玉状弁体３６の上昇幅を規制する規制突起６０を複数突設している。更に、フランジ５６の上からは内周下端部にシール突条６１を突周設し、その上方に螺状を周設した螺筒６２を立設している。また、螺筒６２の上端縁より外方へ延設したフランジ部６３を介して外筒部６４を垂設している。
【００２８】
そして、環状凹部５８からステムＣ２と嵌着筒５５との間、ステムＣ２とフランジ５６との間、ステムＣ２と内筒５７との間を通り、連結部材Ｃ４の下方のステムＣ２内に連通する通気路を設けており、ステムＣ２と筒状弁部４５との間の通気路とあわせて、空気用シリンダ２０から空気吐出弁４９を介して気液混合室Ｒに至る空気供給路ｐとして構成している。
【００２９】
吐出ヘッドＣ５は連結部材Ｃ４のシール突条６１に外周下端部を気密・液密に嵌合させるとともに、その上部の螺状を螺筒６２内面の螺状に螺合させた縦筒７０を頂板７１裏面より垂設し、頂板７１の周縁部からは外側の垂壁部７２を垂設し、また、縦筒７０と外側の垂壁部７２との中間に内側の垂壁部７３を垂設しており、更に、縦筒７０の上端に基端を開口して、内側の垂壁部７３、外側の垂壁部７２を貫通して前方へ突設したノズル７４を延設し、その先端に吐出口を開口している。内側の垂壁部７３と縦筒７０との間には補強用リブ７５を掛け渡している。また、縦筒７０内下端部には起泡部材７６を設けている。起泡部材７６は、メッシュ７６ａを張設した筒体７６ｂを一対用意して、メッシュ７６ａが上端及び下端になる如く縦筒７０内に嵌着させて構成している。尚、図示例では筒体を一対設けているが、メッシュを張設した筒体を一つ嵌着することも、三個以上嵌着することも可能であり、適宜選択することが可能である。
【００３０】
ポペット弁体Ｄは、下端部外面に、それぞれ液用シリンダ２１の係止リブ２５間に位置させる、周方向複数の係止突部８０を突設しており、液用シリンダ２１内からステムＣ２内下部に至る長さを有しており、吸込み弁用の弁座２２と下面が当接する位置から、各係止突部８０がコイルスプリングｓ下面に当接する位置までの上下動が可能に装着している。各係止突部８０上方は、下部を大径部に上部を小径部に形成しており、小径部の上端にはテーパ筒状に拡開する逆止弁体８１を形成し、この逆止弁体８１と逆止弁用の弁座３２とで逆止弁８２を形成している。また、ポペット弁体Ｄの下端部と吸込み弁用の弁座２２とで吸込み弁８３を構成している。
【００３１】
スペーサーＥはガイド筒１２外周に着脱可能に嵌合させた円弧板状の嵌合部８５と、嵌合部８５の後面より後方へ突設した板状の摘まみ部８６とから構成している。装着したスペーサーＥの嵌合部８５上面は連結部材Ｃ４の外筒部６４下面に当接して作動部材Ｃの押し下げを防止する。また、装着にあたっては嵌合部８５を弾性的に開く如く強制的にガイド筒１２外周に嵌合させる。
【００３２】
上記泡吐出器Ｂは、図１の状態からスペーサーＥを外して吐出ヘッドＣ５を押し下げると、空気用ピストンＣ３がステムＣ２に対して相対的に上昇して空気吐出弁４９が開き、下降する空気用ピストンＣ３により空気用シリンダ２０内の空気が加圧されて空気供給路ｐを介して気液混合室Ｒ内に導入される。一方、液用シリンダ２１が下降してポペット弁体Ｄを吸込み弁用の弁座２２に当接させるまで下降させるとともに、ポペット弁体ＤがステムＣ２に対して相対的に上昇して逆止弁８２が開き、液用シリンダ２１内の加圧液を吐出弁３７を介して気液混合室Ｒに導入させ、ここで気液を混合する。この際ポペット弁体ＤはステムＣ２に対して相対的に上昇する。気液混合室Ｒで混合された気液はメッシュ７６ａを通過して発泡し、吐出ヘッドＣ５のノズル７４から外部へ吐出される。
【００３３】
吐出ヘッドＣ５の押圧を解除すると、コイルスプリングｓの付勢力により作動部材Ｃが上昇し、その際空気用ピストンＣ３がステムＣ２に対して相対的に下降して空気吐出弁４９が閉じ、空気用シリンダ２０内の負圧化によって外気導入弁４８が開いて外気が空気用シリンダ２０内に導入される。一方、ステムＣ２の上昇によりポペット弁体Ｄは、逆止弁８２と各縦突条３８の摩擦力で上昇し、吸込み弁８３が開いて負圧化した液用シリンダ２１内に容器体１００内の液が導入され、その際吐出弁３７は閉じる。ポペット弁体Ｄはその係止突部８０がコイルスプリングｓの下面に当接するまで上昇するが、その後はステムＣ２に対して、逆止弁体８１が逆止弁用の弁座３２に当接するまで相対的に下降する。
【００３４】
本発明では、吐出ヘッドＣ５を連結部材Ｃ４に螺着しているため、必要に応じて図２に示す如く、螺脱することが可能であり、その際、例えば図３に示す如く、可撓性のガイド筒１２を両側から押圧することで両側の係合凹部１３が連結部材Ｃ４の嵌着筒５５外周の係合凸部５９に嵌合し、装着キャップＡに対して作動部材Ｃが回動しないように押さえることができ、簡単に吐出ヘッドＣ５を螺脱させることができる。同様に螺着する場合も装着キャップＡに対して作動部材Ｃが固定され容易な螺着が可能となる。
【００３５】
図４及び図５は、第２実施例を示し、本例では、図１の例に於いて、連結部材Ｃ４が、フランジ部６３及び外筒部６４が形成されていない構成となっている。即ち、連結部材Ｃ４は、ステムＣ２の外周上端部に嵌着させた嵌着筒５５の上端より内方へフランジ５６を延設し、フランジ５６の内周縁よりステムＣ２の内周上端部に嵌着させた内筒５７を垂設し、その下方の吐出弁３７下流位置に気液混合室Ｒを画成している。嵌着筒５５の下端内周には環状凹部５８を凹設しており、環状凹部５８の内周面に空気用ピストンＣ３の筒状弁部４５上端縁を気密・液密に摺動させている。嵌着筒５５の外周には係合手段を構成する係合凸部５９が等間隔に４カ所突設されている。また、内筒５７の下面からは玉状弁体３６の上昇幅を規制する規制突起６０を突設している。更に、フランジ５６の上からは内周下端部にシール突条６１を突周設し、その上方に螺状を周設した螺筒６２を立設している。
【００３６】
また、吐出ヘッドＣ５は、図１の例に於いて、内側の垂壁部７３を長く垂設した形態をなしている。即ち、吐出ヘッドＣ５は連結部材Ｃ４のシール突条６１に外周下端部を気密・液密に嵌合させるとともに、その上部の螺状を螺筒６２内面の螺状に螺合させた縦筒７０を頂板７１裏面より垂設し、頂板７１の周縁部からは外側の垂壁部７２を垂設し、また、縦筒７０と外側の垂壁部７２との中間に内側の垂壁部７３を垂設しており、内側の垂壁部７３はガイド筒１２の外周上端部まで下端を垂下し、長く形成している。更に、縦筒７０の上端に基端を開口して、内側の垂壁部７３、外側の垂壁部７２を貫通して前方へ突設したノズル７４を延設し、その先端に吐出口を開口している。内側の垂壁部７３上部と縦筒７０上部との間には補強用リブ７５を掛け渡している。また、縦筒７０内下端部には起泡部材７６を設けている。起泡部材７６は、メッシュ７６ａを張設した筒体７６ｂを一対用意して、メッシュ７６ａが上端及び下端になる如く縦筒７０内に嵌着させて構成している。
【００３７】
本例の場合には、内側の垂壁部７３の下面がスペーサーＥの上面に当接して作動部材Ｃの押し下げを防止する如く構成している。その他の構成、作用は図１の例と同様であるため、同符号を付して説明を省略する。
【符号の説明】
【００３８】
１：泡吐出器
Ａ：装着キャップ
１０…周壁、１１…頂壁、１２…ガイド筒、１３…係合凹部、１４…突部
Ｂ：シリンダ部材
２０…空気用シリンダ、２１…液用シリンダ、２２…吸込み弁用の弁座、
２３…パイプ嵌合筒、２４…吸い上げ用のパイプ、２５…係止リブ
Ｃ：作動部材
Ｃ１：液用ピストン
３０…嵌合筒部、３１…摺動部、３２…逆止弁用の弁座
Ｃ２：ステム
３５…吐出弁用の弁座、３６…玉状弁体、３７…吐出弁、３８…縦突条、
３９…空気吐出弁用の弁座、４０…縦突条、
Ｃ３：空気用ピストン
４５…筒状弁部、４６…階段状の隔壁、４７…摺動部、４８…外気導入弁、
４９…空気吐出弁、５０…隙間
Ｃ４：連結部材
５５…嵌着筒、５６…フランジ、５７…内筒、５８…環状凹部、５９…係合凸部、
６０…規制突起、６１…シール突条、６２…螺筒、６３…フランジ部、６４…外筒部、
６５…通気路
Ｃ５：吐出ヘッド
７０…縦筒、７１…頂板、７２…外側の垂壁部、７３…内側の垂壁部、７４…ノズル、
７５…補強用リブ、７６…起泡部材、７６ａ…メッシュ、７６ｂ…筒体
Ｄ：ポペット弁体
８０…係止突部、８１…逆止弁体、８２…逆止弁、８３…吸込み弁
Ｅ：スペーサー
８５…嵌合部、８６…摘まみ部
ｓ：コイルスプリング
ｐ：空気供給路
Ｒ：気液混合室
１００：容器体
１０１…口頸部 
【図１】
0005903747.tif 000002
【図２】
0005903747.tif 000003
【図３】
0005903747.tif 000004
【図４】
0005903747.tif 000005
【図５】
0005903747.tif 000006